(57)【特許請求の範囲】
【請求項１】
側端面に光入射部を備えた導光板と、
前記光入射部に発光面を向けて光を出射する発光素子と、
平面視で前記導光板の前記光入射部に隣り合うとともに平面視で前記導光板と重ならない領域に配置され、前記光入射部とされた前記側端面と交差する前記発光素子の実装面を備えた光源用基板と、
前記導光板に対して当該導光板からの光出射方向とは反対側に底板部を備えたフレームを有し、
当該フレームの底板部に、前記導光板と平面視で重なる領域で前記導光板を支持する面である導光板支持部、および平面視で前記導光板と重ならない位置で前記光源用基板の前記導光板側の端部が当接する、前記導光板支持部の端部による段部が形成され、
前記段部の深さ寸法は、前記光源用基板の厚さ寸法以下であることを特徴とする照明装置。
【請求項２】
側端面に光入射部を備えた導光板と、
前記光入射部に発光面を向けて光を出射する発光素子と、
平面視で前記導光板の前記光入射部に隣り合うとともに平面視で前記導光板と重ならない領域に配置され、前記光入射部とされた前記側端面と交差する前記発光素子の実装面を備えた光源用基板と、
前記導光板に対して当該導光板からの光出射方向とは反対側に底板部を備えたフレームを有し、
当該フレームの底板部に、前記導光板と平面視で重なる領域で前記導光板を支持する面である導光板支持部、および平面視で前記導光板と重ならない位置で前記光源用基板の前記導光板側の端部が当接する、前記導光板支持部の端部による段部が形成され、
前記発光素子の発光面は、前記光源用基板の前記導光板側の端部よりも前記導光板側に位置することを特徴とする照明装置。
【請求項３】
前記フレームの底板部に、前記光源用基板と平面視で重なる領域で前記光出射方向とは反対側で前記光源用基板を支持する基板支持部を形成し、
前記導光板支持部と前記基板支持部との間に前記段部が設けられていることを特徴とする請求項１または２に記載の照明装置。
【請求項４】
前記フレームとは別体のフレームの底板部に、前記光源用基板と平面視で重なる領域で前記光出射方向とは反対側で前記光源用基板を支持する基板支持部を形成し、
前記導光板支持部と前記基板支持部との間に前記段部が設けられていることを特徴とする請求項１または２に記載の照明装置。
【請求項５】
前記導光板支持部が形成された前記フレームと、前記基板支持部が形成された前記別体のフレームとは、底板部同士が平面視で部分的に重なっていることを特徴とする請求項４に記載の照明装置。
【請求項６】
前記基板支持部は、前記導光板支持部からみて前記光出射方向とは反対側に向けて凹んでいることを特徴とする請求項３乃至５の何れか一項に記載の照明装置。
【請求項７】
前記基板支持部を備えた前記フレームは、当該基板支持部に対して前記導光板とは反対側で前記底板部から起立する側板部を備え、
前記光源用基板の前記導光板側とは反対側の端部は、前記側板部に当接していることを特徴とする請求項３乃至６の何れか一項に記載の照明装置。
【請求項８】
前記発光素子の前記光源用基板とは反対側の端部は、前記導光板の光出射面より低い位置にあることを特徴とする請求項１乃至７の何れか一項に記載の照明装置。
【請求項９】
請求項１乃至８の何れか一項に記載の照明装置を備えた液晶表示装置であって、
前記導光板の光出射面側に重ねて配置された液晶パネルを備えていることを特徴とする液晶表示装置。
【請求項１０】
請求項９に記載の液晶表示装置を備えていることを特徴とする電子機器。
【発明の詳細な説明】
【技術分野】
【０００１】
本発明は、導光板および発光素子を備えた照明装置、該照明装置を備えた液晶表示装置、および該液晶表示装置を備えた電子機器に関するものである。
【背景技術】
【０００２】
透過型の液晶パネルを備えた液晶表示装置は、図８に示すように、導光板８０の光入射部８０ａとされた側端面に発光素子８９が配置された照明装置８を有しており、導光板８０の光出射面８０ｂ側には光学シート１８０および液晶パネル１０が重ねて配置されている。かかる照明装置８において、光入射部８０ａに直交する実装面８８１を備えた光源用基板８８を用い、かかる光源用基板８８の実装面８８１に発光素子８９が実装した構成を採用した場合、発光素子８９の光軸が傾くと輝度ムラ等が発生する原因となる。
【０００３】
そこで、導光板８０および光源用基板８８を第１フレーム４０の底板部４５で支持する構成が提案されている（特許文献１参照）。
【０００４】
また、特許文献１に記載の照明装置８では、底板部４５を凹ませて導光板８０を支持する面よりも低い位置に基板支持部４５６を設け、導光板８０の端部を光源用基板８８に部分的に重ねた構成が採用されている。
【先行技術文献】
【特許文献】
【０００５】
【特許文献１】特開２００４−２７３１８５号公報
【発明の概要】
【発明が解決しようとする課題】
【０００６】
しかしながら、図８に示す構成では、導光板８０の端部では、導光板８０の背面８０ｃに第１フレーム４０が重なっている部分と、導光板８０の背面８０ｃに光源用基板８８が重なっている部分とが存在し、かかる部分では光の反射率や拡散度合が相違する。このため、導光板８０から出射された照明光に輝度ムラが発生するという問題点がある。また、導光板８０の背面８０ｃに反射シート１８７を設ける場合があるが、この場合、反射シート１８７のうち、底板部４５と接している部分１８７ａと、隙間に重なっている部分１８７ｂと、光源用基板８８と接している部分１８７ｃの高低差等が原因で反射シート１８７が撓んでしまい、に輝度ムラが発生するという問題点がある。
【０００７】
以上の問題点に鑑みて、本発明の課題は、導光板および光源用基板をフレームの底板部で支持する構造を採用した場合でも輝度ムラの発生を抑制することができる照明装置、該照明装置を備えた液晶表示装置、および該液晶表示装置を備えた電子機器を提供することにある。
【課題を解決するための手段】
【０００８】
上記課題を解決するために、本発明に係る照明装置は、側端面に光入射部を備えた導光板と、前記光入射部に発光面を向けて光を出射する発光素子と、平面視で前記導光板の前記光入射部に隣り合うとともに平面視で前記導光板と重ならない領域に配置され、前記光入射部とされた前記側端面と交差する前記発光素子の実装面を備えた光源用基板と、平面視で前記導光板と重ならない位置で前記光源用基板の前記導光板側の端部が当接する段部と、を有することを特徴とする。
【０００９】
本発明では、導光板と光源用基板とは平面視で重ならない位置に設けられ、かつ、平面視で導光板と重ならない位置で光源用基板の導光板側の端部が当接する段部が設けられている。このため、光源用基板は精度よく位置決めされるので、光源用基板は常に導光板の光入射部に平面視で隣り合う位置に配置され、導光板と重なることがない。従って、導光板の背面側の全体で反射性や拡散性が同等であるので、輝度ムラが発生しにくい。また、導光板の背面に反射シートを設けた場合でも、反射シートは、光源用基板と重なっていないので、光源用基板が原因で撓み等が発生しない。それ故、反射シートの撓みに起因する輝度ムラが発生しにくい。
【００１０】
本発明において、前記導光板と平面視で重なる領域で前記導光板からの光出射方向とは反対側で前記導光板を支持する導光板支持部と、前記光源用基板と平面視で重なる領域で前記光出射方向とは反対側で前記光源用基板を支持する基板支持部と、を有し、前記導光板支持部と前記基板支持部との間に前記段部が設けられていることが好ましい。かかる構成によれば、導光板および光源用基板が適正な姿勢で支持されているので、導光板に対して発光素子を適正な姿勢で配置することができる。
【００１１】
本発明において、前記導光板に対して前記光出射方向とは反対側に底板部を備えたフレームを有し、当該フレームの前記底板部に、前記導光板支持部、前記基板支持部、および前記段部が形成されている構成を採用することができる。
【００１２】
本発明において、前記導光板に対して当該導光板からの光出射方向とは反対側に底板部を備えたフレームを有し、当該フレームの底板部に、前記導光板と平面視で重なる領域で前記導光板を支持する導光板支持部、および前記段部が形成されている構成を採用することができる。
【００１３】
本発明において、前記光源用基板に対して前記導光板からの光出射方向とは反対側に底板部を備えたフレームを有し、当該フレームの底板部に、前記光源用基板と平面視で重なる領域で当該光源用基板を支持する基板支持部、および前記段部が形成されている構成を採用してもよい。
【００１４】
本発明において、前記導光板に対して前記光出射方向とは反対側に底板部を備えたフレームを有し、当該フレームの前記底板部に前記導光板支持部が形成され、前記光源用基板に対して前記光出射方向とは反対側に底板部を備えたフレームを有し、当該フレームの前記底板部に前記基板支持部が形成されている構成を採用してもよい。
【００１５】
この場合、前記導光板支持部が形成された前記フレームと、前記基板支持部が形成されたフレームとは、前記底板部同士が平面視で部分的に重なっていることが好ましい。かかる構成によれば、２つのフレームの光出射方向における位置精度が高いという利点がある。
【００１６】
本発明において、前記基板支持部は、前記導光板支持部からみて前記光出射方向とは反対側に向けて凹んでいることが好ましい。かかる構成によれば、導光板の厚さ方向における発光素子の位置を適正化することができる。
【００１７】
本発明において、前記発光素子の前記光源用基板とは反対側の端部は、前記導光板の光出射面より低い位置にあることが好ましい。かかる構成によれば、照明装置の薄型化を図ることができる。
【００１８】
本発明において、前記段部の深さ寸法は、前記光源用基板の厚さ寸法と等しい構成を採用することができる。
【００１９】
本発明において、前記段部の深さ寸法は、前記光源用基板の厚さ寸法より小であってもよい。かかる構成によれば、その分、発光素子を高い位置に設けることができる等、発光素子の高さ位置を導光板に合わせることができる。
【００２０】
本発明において、前記発光素子の発光面は、前記光源用基板の前記導光板側の端部よりも前記導光板側に位置することが好ましい。かかる構成によれば、光入射部と発光素子との距離を光入射部と光源用基板との距離より狭く設定することができる。
【００２１】
本発明において、前記基板支持部を備えた前記フレームは、当該基板支持部に対して前記導光板とは反対側で前記底板部から起立する側板部を備え、前記光源用基板の前記導光板側とは反対側の端部は、前記側板部に当接していることが好ましい。かかる構成によれば、光源用基板を段部と側板部との間に挟持した構成を採用することができるので、光源用基板を確実に固定することができる。
【００２２】
本発明を適用した照明装置は、液晶表示装置に用いることができ、かかる液晶表示装置は、前記導光板の光出射面側に重ねて配置された液晶パネルを備えている。
【００２３】
本発明に係る液晶表示装置は、液晶テレビ等の電子機器に用いられる。
【図面の簡単な説明】
【００２４】
【図１】本発明の実施の形態１に係る液晶表示装置を備えた液晶テレビ（電子機器）の説明図である。
【図２】本発明の実施の形態１に係る液晶表示装置の全体構成を示す説明図である。
【図３】本発明の実施の形態１に係る液晶表示装置をさらに細かく分解したときの分解斜視図である。
【図４】本発明の実施の形態１に係る液晶表示装置を図１（ａ）のＡ−Ａ′線に沿って切断したときの断面図である。
【図５】本発明の実施の形態２に係る液晶表示装置を図１（ａ）のＡ−Ａ′線に沿って切断したときの断面図である。
【図６】本発明の実施の形態３に係る液晶表示装置を図１（ａ）のＡ−Ａ′線に沿って切断したときの断面図である。
【図７】本発明の実施の形態４に係る液晶表示装置を図１（ａ）のＡ−Ａ′線に沿って切断したときの断面図である。
【図８】従来の液晶表示装置の説明図である。
【発明を実施するための形態】
【００２５】
図面を参照して、液晶テレビ用の液晶表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、図８を参照して説明した構成との対応が分かりやすいように、対応する部分には同一の符号を付して説明する。
【００２６】
また、以下の説明では、導光板や液晶パネルの面内方向で互いに交差する方向の一方（図に示す導光板や液晶パネル（表示パネル）の長辺が延在する方向）をＸ軸方向とし、他方（図に示す導光板や液晶パネルの短辺が延在する方向）をＹ軸方向とし、Ｘ軸方向およびＹ軸方向に交差する方向（図に示す導光板と液晶パネルとが積層される方向）をＺ軸方向とする。また、以下に参照する図面では、Ｘ軸方向の一方側をＸ１側とし、他方側をＸ２側とし、Ｙ軸方向の一方側（液晶パネルの張り出し部分が配置される方向）をＹ１側とし、これと対向する他方側をＹ２側とし、Ｚ軸方向の一方側（導光板の背面に向けられた方向）をＺ１側（下側）とし、これと対向する他方側（照明光や表示光が出射される側／光出射方向）をＺ２側（上側）として表してある。
【００２７】
［実施の形態１］
（全体構成）
図１は、本発明の実施の形態１に係る液晶表示装置を備えた液晶テレビ（電子機器）の説明図であり、図１（ａ）、（ｂ）は、液晶テレビの外観を模式的に示す説明図、および液晶表示装置の電気的構成を示すブロック図である。
【００２８】
図１（ａ）に示す電子機器２０００は液晶テレビであり、液晶表示装置１００やテレビ用のフレーム２０１０等を有している。液晶表示装置１００は、後述する液晶パネル１０（表示パネル）と、液晶パネル１０に画像信号を供給する画像信号供給部２７０と、液晶パネル１０に照明光を供給する照明装置８とを有している。また、液晶表示装置１００は、液晶パネル１０においてＸ軸方向に延在する走査線を駆動する走査線駆動回路１０４と、液晶パネル１０においてＹ軸方向に延在するデータ線を駆動するデータ線駆動回路１０１とを有している。走査線駆動回路１０４およびデータ線駆動回路１０１については、双方が液晶パネル１０に内蔵された構成を採用することができる。また、走査線駆動回路１０４およびデータ線駆動回路１０１のうちの一方が液晶パネル１０に内蔵され、他方が液晶パネル１０にＣＯＧ実装された駆動用ＩＣに内蔵された構成を採用することができる。また、走査線駆動回路１０４およびデータ線駆動回路１０１のうちの一方が液晶パネル１０に内蔵され、他方が液晶パネル１０に電気的に接続された回路基板に実装された駆動用ＩＣに内蔵された構成を採用することができる。さらには、走査線駆動回路１０４およびデータ線駆動回路１０１の双方が液晶パネル１０とは別体の駆動用ＩＣに内蔵された構成等を採用することができる。
【００２９】
本形態において、照明装置８は、液晶パネル１０に重ねて配置された導光板８０と、導光板８０の側端面のうち、光入射部８０ａとされた側端面に沿って配置された複数の発光素子８９と、複数の発光素子８９が実装された光源用基板８８と、発光素子８９を駆動する光源駆動部２８０とを有している。本形態において、液晶パネル１０は横長の四角形であり、４つの辺１０ａ、１０ｂ、１０ｃ、１０ｄを有している。これらの辺１０ａ、１０ｂ、１０ｃ、１０ｄのうち、辺１０ａはＹ軸方向の一方側Ｙ１に位置する長辺であり、辺１０ｂはＹ軸方向の他方側Ｙ２に位置する長辺であり、辺１０ｃはＸ軸方向の一方側Ｘ１に位置する短辺であり、辺１０ｄはＸ軸方向の他方側Ｘ２に位置する短辺である。かかる形状に対応して、導光板８０は、４つの側端面８０１、８０２、８０３、８０４を有している。これらの側端面８０１〜８０４のうち、側端面８０１はＹ軸方向の一方側Ｙ１の長辺に位置し、側端面８０２はＹ軸方向の他方側Ｙ２の長辺に位置し、側端面８０３はＸ軸方向の一方側Ｘ１の短辺に位置し、側端面８０４はＸ軸方向の他方側Ｘ２の短辺に位置する。本形態では、導光板８０の４つの側端面８０１、８０２、８０３、８０４のうち、短辺方向（Ｙ軸方向）で対向する２つの側端面８０１、８０２が光入射部８０ａになっている。このため、発光素子８９は、導光板８０の２つの側端面８０１、８０２（光入射部８０ａ）の各々に沿って配列され、光源用基板８８は、導光板８０の２つの側端面８０１、８０２（光入射部８０ａ）の各々に沿って延在している。
【００３０】
（液晶表示装置１００の具体的構成）
図２は、本発明の実施の形態１に係る液晶表示装置１００の全体構成を示す説明図であり、図２（ａ）、（ｂ）は、液晶表示装置１００の斜視図および分解斜視図である。図３は、本発明の実施の形態１に係る液晶表示装置１００をさらに細かく分解したときの分解斜視図である。図４は、本発明の実施の形態１に係る液晶表示装置１００を図１（ａ）のＡ−Ａ′線に沿って切断したときの断面図である。
【００３１】
図２、図３および図４において、本形態の液晶表示装置１００は、概ね、いわゆるバックライト装置と称せられる照明装置８と、この照明装置８の上面に重ねて配置された透過型の液晶パネル１０とを備えている。液晶表示装置１００において、照明装置８は、下側（Ｚ軸方向の一方側Ｚ１）で導光板８０の背面を覆うように配置された金属製の第１フレーム４０（下金枠）と、第１フレーム４０の上方で液晶パネル１０の端部を保持するとともに照明装置８を囲って保持する樹脂製の第２フレーム３０（樹脂フレーム）と、第２フレーム３０の上側（Ｚ軸方向の他方側Ｚ２）に配置された金属製の第３フレーム５０（上金枠）とを備えている。
【００３２】
第２フレーム３０は、液晶パネル１０の端部を保持するとともに液晶パネル１０の周りを囲む矩形枠形状を有しており、本形態において、第２フレーム３０は、液晶パネル１０の４つの辺に対応して４つの辺毎に分割された４本のフレーム板３１、３２、３３、３４からなる。本形態において、第２フレーム３０は黒色であり、光吸収部材として機能することによって、照明装置８内での迷光の発生を防止する。フレーム板３１、３２、３３、３４は各々、フレーム板３１、３２、３３、３４の外面側で下方に延在する側板部３１１、３２１、３３１、３４１と、側板部３１１、３２１、３３１、３４１の上端縁から内側に向かって屈曲した上板部３１５、３２５、３３５、３４５（端板部）と、上板部３１５、３２５、３３５、３４５からさらに内側に張り出した突板部３１２、３２２、３３２、３４２とを備えている。また、上板部３１５、３２５、３３５、３４５には上方に突出した凸部３１７、３２７、３３７、３４７が形成されている。このため、フレーム板３１、３２、３３、３４には、突板部３１２、３２２、３３２、３４２と凸部３１７、３２７、３３７、３４７とによって段部３１３、３２３、３３３、３４３が形成されており、かかる段部３１３、３２３、３３３、３４３と突板部３１２、３２２、３３２、３４２とによって液晶パネル１０が位置決めされている。また、突板部３１２、３２２、３３２、３４２の下側には、照明装置８の導光板８０等が配置されている。
【００３３】
第１フレーム４０は、ＳＵＳ板等の薄い金属板に対するプレス加工等により形成されてなる。第１フレーム４０は、底板部４５と、底板部４５の外周縁から起立する４つの側板部４１、４２、４３、４４とを備えており、上面が開口する矩形の箱状になっている。かかる第１フレーム４０の側板部４１、４２、４３、４４の外側には第２フレーム３０の側板部３１１、３２１、３３１、３４１が重なっている。
【００３４】
第３フレーム５０も、第１フレーム４０と同様、ＳＵＳ板等の薄い金属板に対するプレス加工等により形成されてなる。第３フレーム５０は、矩形の上板部５５（端板部）と、上板部５５の外周縁から下方に折れ曲がった４つの側板部５１、５２、５３、５４とを備えており、下面が開口する矩形の箱状になっている。側板部５１、５２、５３、５４は、第２フレーム３０の側板部３１１、３２１、３３１、３４１の外側に重なっている。上板部５５には、段部５６が形成されており、かかる段部５６には、液晶パネル１０から出射された光を出射する矩形の窓５５０が形成されている。かかる第３フレーム５０において、上板部５５は、第２フレーム３０を覆い、段部５６は、液晶パネル１０の表示光出射側のうち、外周端部を全周にわたって覆っている。
【００３５】
このように構成した第３フレーム５０、第２フレーム３０、および第１フレーム４０はネジ（図示せず）等により結合されて、内側に液晶パネル１０や照明装置８を保持する。より具体的には、第２フレーム３０の突板部３１２、３２２、３３２、３４２と、第３フレーム５０の段部５６との間に液晶パネル１０の端部が挟持される。また、第２フレーム３０の突板部３１２、３２２、３３２、３４２と、第１フレーム４０の底板部４５との間に反射シート１８７、導光板８０、光学シート１８０（拡散シート１８２、プリズムシート１８３、１８４）の端部が挟持される。このため、光学シート１８０の端部は、第２フレーム３０の突板部３１２、３２２、３３２、３４２と、導光板８０との間に挟持された状態となる。ここで、第２フレーム３０の突板部３１２、３２２、３３２、３４２の下面には、可撓性シート９２が貼られている。従って、液晶表示装置１００を組み立てた際、照明装置８は可撓性シート９２を介して支持される。また、液晶表示装置１００を組み立てた際、照明装置８の光学シート（拡散シート１８２、プリズムシート１８３、１８４等）は可撓性シート９２によって浮きや位置ズレが生じないように押さえられている。
【００３６】
（液晶パネル１０の構成）
図２、図３および図４に示すように、液晶パネル１０は、四角形の平面形状を有しており、画素電極（図示せず）等が形成された素子基板１１と、素子基板１１に対して所定の隙間を介して対向配置された対向基板１２と、この対向基板１２と素子基板１１とを貼り合せる矩形枠状のシール材１４とを備えている。かかる液晶パネル１０では、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線が延在しており、走査線とデータ線（図示せず）との交差に対応して、スイッチング素子（図示せず）および画素電極が設けられている。
【００３７】
本形態では、対向基板１２が表示光の出射側に配置され、素子基板１１は照明装置８の側に配置されている。また、対向基板１２において、素子基板１１と対向する面には、シール材１４の４つの辺の内縁に沿って、矩形枠状の遮光層からなる額縁層（図示せず）が形成されており、額縁層の内縁により規定された領域が画像表示領域１００ａである。なお、第３フレーム５０の上板部５５の内縁は、額縁層の幅方向の途中位置にあり、第３フレーム５０の窓５５０は、画像表示領域１００ａおよび額縁層の内周部分と重なっている。
【００３８】
液晶パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、液晶パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。液晶パネル１０の上面には上偏光板１８が重ねて配置され、液晶パネル１０の下面と照明装置８との間には下偏光板１７が配置されている。
【００３９】
本形態において、素子基板１１は対向基板１２より大きい。このため、素子基板１１は、Ｙ軸方向の一方側Ｙ１において対向基板１２の端部から張り出した張り出し部分１１０を有しており、かかる張り出し部分１１０の上面には複数枚のフレキシブル配線基板２００が接続されている。フレキシブル配線基板２００は、リジット基板からなる回路基板２５０に接続されており、かかる回路基板２５０には、図１を参照して説明した画像信号供給部２７０を構成する制御用ＩＣ（図示せず）や、光源駆動部２８０を構成する光源駆動用ＩＣ（図示せず）が実装されている。
【００４０】
照明装置８は、液晶パネル１０の下面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。本形態において、複数の発光素子８９は、光入射部８０ａに沿ってＸ軸方向に延在する光源用基板８８の実装面８８１に実装されている。発光素子８９は、白色光を出射するＬＥＤ（Light Emitting Diode）であり、光源光を発散光として出射する。
【００４１】
本形態の照明装置８において、導光板８０の側端面８０１、８０２、８０３、８０４のうち、Ｙ軸方向で相対向する２つの側端面８０１、８０２が光入射部８０ａとして利用されている。このため、複数の発光素子８９は、導光板８０の２つの光入射部８０ａ（側端面８０１、８０２）に発光面８９ａを向け、２つの光入射部８０ａ（側端面８０１、８０２）の各々の一方端側から他方端側に向かって配列されている。また、光源用基板８８は、２つの光入射部８０ａ（側端面８０１、８０２）に沿って２枚が延在しており、かかる２枚の光源用基板８８の各々の実装面８８１に複数の発光素子８９が実装されている。
【００４２】
本形態において、導光板８０は、アクリル樹脂、ポリメチルスチレン樹脂、ポリカーボネート樹脂等からなる透光性の樹脂板であり、導光板８０の背面８０ｃ（光出射面８０ｂとは反対側の面／反対面）と第１フレーム４０の底板部４５との間には反射シート１８７が重ねて配置されている。導光板８０に用いる樹脂板は、押出成形や射出成形等により形成される。
【００４３】
また、導光板８０の上面（光出射面８０ｂ）と液晶パネル１０との間には拡散シート１８２、プリズムシート１８３、１８４等の光学シート１８０が重ねて配置されている。拡散シート１８２は、アクリル樹脂やポリカーボネート樹脂等の透光性樹脂にシリカ粒子等を分散したコーティング層を備えたシートからなる。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、液晶パネル１０の正面方向にピークを持つような指向性が付与されている。
【００４４】
導光板８０において、反射シート１８７が位置する背面８０ｃには、拡散パターンとして、Ｘ軸方向に延在する線状の微細な凹部からなるグルーブが複数形成されている。本形態において、グルーブの密度は、発光素子８９から離れるに従って高くなっている。このため、導光板８０から出射される照明光の強度分布は、発光素子８９からの距離にかかわらず、均一化されている。
【００４５】
本形態において、光源用基板８８は、発光素子８９が実装されている実装面８８１が導光板８０の光入射部８０ａに直交するように配置されている。このため、発光素子８９の発光面８９ａは、実装面８８１と平行な方向に出射光軸を向けている。
【００４６】
ここで、光源用基板８８は、光入射部８０ａに沿って延在する板状の金属板８８７（支持板）の実装面８８１側に、配線パターンやランドが絶縁層とともに設けられた構造を有している。かかる構成は、金属板８８７の実装面８８１側に、樹脂基材層、配線パターンおよび絶縁保護層等がこの順に積層されたフレキシブル配線基板８８８を貼り合わせることにより実現することができる。従って、配線パターンおよび発光素子８９のチップが実装されるランドは、金属板８８７から電気的に絶縁されている。本形態において、金属板８８７はアルミニウム板からなり、金属板８８７は、光源用基板８８の機械的強度を確保するとともに、発光素子８９から発熱される熱の放熱板としても機能する。
【００４７】
（第１フレーム４０の底板部４５等の構成）
図４を中心に参照しながら、導光板８０の側端面８０２が位置する側における第１フレーム４０の底板部４５の構成や光源用基板８８の固定構造等を説明する。なお、本形態では、導光板８０の側端面８０１の側にも発光素子８９や光源用基板８８が設けられているが、側端面８０１の構成は、側端面８０２側の構成と略同様であるため、側端面８０１の構成については説明を省略する。
【００４８】
図４に示すように、本形態の液晶表示装置１００および照明装置８において、光源用基板８８は、導光板８０の側端面８０２（光入射部８０ａ）に平面視で隣り合う位置に配置されており、発光素子８９が実装された実装面８８１は、側端面８０２（光入射部８０ａ）に直交している。ここで、発光素子８９の発光面８９ａは、光源用基板８８の導光板８０側の端部８８４よりも、導光板８０から離間した位置にある。
【００４９】
かかる光源用基板８８を第１フレーム４０の底板部４５上に設けるにあたって、本形態では、底板部４５には、導光板８０と平面視で重なる領域で導光板８０を支持する導光板支持部４５１と、導光板支持部４５１より下方（発光素子８９が位置する側とは反対側）に凹んで光源用基板８８を支持する基板支持部４５２とが設けられている。
【００５０】
本形態において、基板支持部４５２の内底部は平坦面であり、光源用基板８８の背面８８２を構成する金属板８８７は、基板支持部４５２の内底部に面接触状態で重なっている。このため、発光素子８９で発生した熱を光源用基板８８の金属板８８７および第１フレーム４０の底板部４５を介して効率よく逃がすことができる。
【００５１】
本形態では、基板支持部４５２の深さ寸法ｗは、光源用基板８８の厚さ寸法ｔと等しい。このため、導光板支持部４５１と、光源用基板８８の実装面８８１とは同一あるいは略同一の高さ位置にある。従って、発光素子８９の上端部８９ｔ（発光素子８９の光源用基板８８とは反対側の端部）は、導光板８０の光出射面８０ｂより低い位置にあり、導光板８０の光出射面８０ｂより上方に突出していない。
【００５２】
ここで、導光板支持部４５１と基板支持部４５２とは平面視で所定の距離Ｇを隔てており、導光板８０と光源用基板８８とは平面視で一切重なっていない。また、本形態では、導光板８０と導光板支持部４５１との間に反射シート１８７が設けられており、反射シート１８７は、導光板８０と重なる位置に設けられているため、光源用基板８８とは平面視で一切重なっていない。なお、本形態において、導光板支持部４５１は浅い凹部として形成されており、導光板支持部４５１と基板支持部４５２との間の部分は、導光板支持部４５１よりわずかに突出した凸部になっている。
【００５３】
また、本形態では、第１フレーム４０の底板部４５には、導光板支持部４５１と基板支持部４５２との間に、基板支持部４５２の導光板支持部４５１側の端部によって段部４５３が形成されており、本形態において、光源用基板８８の導光板８０側の端部８８４は、段部４５３に当接している。このため、光源用基板８８の位置、すなわち、発光素子８９の位置は段部４５３によって規定されている。また、第１フレーム４０は、基板支持部４５２に対して導光板支持部４５１とは反対側で底板部４５から側板部４２が起立しており、光源用基板８８の導光板８０側とは反対側の端部８８５は、側板部４２に当接している。このように配置した光源用基板８８は、例えば、基板支持部４５２の底部とネジ等により固定される。また、光源用基板８８は、側板部４２、あるいは底板部４５のうち、基板支持部４５２と導光板支持部４５１との間の部分に対して接着剤等により固定してもよい。
【００５４】
（本形態の主な効果）
以上説明したように、本形態の液晶表示装置１００および照明装置８において、導光板８０および光源用基板８８はいずれも、第１フレーム４０の底板部４５に支持されているため、導光板８０に対して発光素子８９を適正な姿勢で配置することができる。
【００５５】
また、光源用基板８８は、第１フレーム４０の底板部４５で凹んだ基板支持部４５２に設けられ、光源用基板８８の導光板８０側の端部８８４は、基板支持部４５２の段部４５３に当接している。従って、光源用基板８８は精度よく位置決めされるので、光源用基板８８は常に導光板８０の光入射部８０ａに平面視で隣り合う位置に配置され、導光板８０と重なることがない。このため、導光板８０の背面８０ｃ側の全体で反射性や拡散性が同等であるので、輝度ムラが発生しにくい。また、本形態では、導光板８０の背面８０ｃに反射シート１８７が設けられているが、反射シート１８７は、光源用基板８８と重なっていないので、光源用基板８８が原因で撓み等が発生しない。それ故、反射シート１８７の撓みに起因する輝度ムラが発生しにくい。
【００５６】
また、光源用基板８８は、第１フレーム４０の底板部４５で凹んだ基板支持部４５２に設けられているため、基板支持部４５２の深さ寸法ｗを最適化することにより、発光素子８９の高さ位置を導光板８０に合わせることができる。また、光源用基板８８は、第１フレーム４０の底板部４５で凹んだ基板支持部４５２に設けられているため、発光素子８９の上端部８９ｔ（発光素子８９の光源用基板８８とは反対側の端部）は、導光板８０の光出射面８０ｂより低い位置にあり、導光板８０の光出射面８０ｂより上方に突出していない。このため、照明装置８の薄型化を図ることができる。
【００５７】
また、光源用基板８８は、段部４５３と側板部４２との間に挟持された状態にあるので、光源用基板８８を所定の位置に確実に固定することができる。
【００５８】
［実施の形態２］
図５は、本発明の実施の形態２に係る液晶表示装置１００を図１（ａ）のＡ−Ａ′線に沿って切断したときの断面図である。なお、本形態の基本的な構成は、実施の形態１と同様であることから、共通する部分には同一の符号を付して、それらの説明を省略する。
【００５９】
実施の形態１では、基板支持部４５２の深さ寸法ｗは、光源用基板８８の厚さ寸法ｔと等しい構成を採用したが、本形態では、図５に示すように、基板支持部４５２の深さ寸法ｗは、光源用基板８８の厚さ寸法ｔより小である。このため、光源用基板８８の実装面８８１は、導光板支持部４５１より高い位置にある。従って、発光素子８９を実施の形態１より高い位置に設けることができる等、発光素子８９の高さ位置を導光板８０に合わせることができる。
【００６０】
この場合でも、本形態では、発光素子８９の上端部８９ｔ（発光素子８９の光源用基板８８とは反対側の端部）は、導光板８０の光出射面８０ｂより低い位置にあり、導光板８０の光出射面８０ｂより上方に突出していない。それ故、照明装置８の薄型化を図ることができる。
【００６１】
［実施の形態３］
図６は、本発明の実施の形態３に係る液晶表示装置１００を図１（ａ）のＡ−Ａ′線に沿って切断したときの断面図である。なお、本形態の基本的な構成は、実施の形態１と同様であることから、共通する部分には同一の符号を付して、それらの説明を省略する。
【００６２】
実施の形態１では、発光素子８９の発光面８９ａは、光源用基板８８の導光板８０側の端部８８４よりも、導光板８０から離間した位置にあったが、本形態では、図６に示すように、発光素子８９の発光面８９ａは、光源用基板８８の導光板８０側の端部８８４よりも、導光板８０側に位置する。このため、本形態によれば、導光板８０の光入射部８０ａと発光素子８９との距離を光入射部８０ａと光源用基板８８との距離より狭く設定することができる。
【００６３】
［実施の形態４］
図７は、本発明の実施の形態４に係る液晶表示装置１００を図１（ａ）のＡ−Ａ′線に沿って切断したときの断面図である。なお、本形態の基本的な構成は、実施の形態１と同様であることから、共通する部分には同一の符号を付して、それらの説明を省略する。
【００６４】
実施の形態１、２、３では、第１フレーム４０の底板部４５に導光板支持部４５１、基板支持部４５２および段部４５３が設けられていたが、本形態では、図７に示すように、第１フレーム４０は、内側の第１フレーム部材４０ａ（フレーム）と、外側の第２フレーム部材４０ｂ（フレーム）とからなる。このため、第１フレーム４０の底板部４５は、第１フレーム部材４０ａの底板部４５ａと、第２フレーム部材４０ｂの底板部４５ｂとからなる。従って、導光板支持部４５１は、第１フレーム部材４０ａの底板部４５ａに形成され、基板支持部４５２は、第２フレーム部材４０ｂの底板部４５ｂに形成されている。また、側板部４２等は第２フレーム部材４０ｂに形成されている。
【００６５】
ここで、第１フレーム部材４０ａの底板部４５ａと、第２フレーム部材４０ｂの底板部４５ｂとは、平面視で導光板８０からの光出射方向で部分的に重なっており、本形態において、第１フレーム部材４０ａの底板部４５ａの端部は、第２フレーム部材４０ｂの底板部４５ｂの端部にＺ軸方向の他方側Ｚ２（導光板８０からの光出射方向／図２等を参照）で重なって接している。このため、第１フレーム部材４０ａの底板部４５ａと、第２フレーム部材４０ｂの底板部４５ｂとは、Ｚ軸方向の相互の位置に高い精度を有しているため、第１フレーム４０を２つのフレーム（第１フレーム部材４０ａおよび第２フレーム部材４０ｂ）によって形成した場合でも、導光板８０に対して発光素子８９のＺ軸方向の位置を高い位置で設定することができる。
【００６６】
また、第１フレーム部材４０ａの底板部４５ａの端部は、第２フレーム部材４０ｂの底板部４５ｂにＺ軸方向の他方側Ｚ２（導光板８０からの光出射方向／図２等を参照）で重なって接しているため、第１フレーム部材４０ａの底板部４５ａの端部によって、光源用基板８８の導光板８０側の端部８８４が当接する段部４５３が形成されている。
【００６７】
［実施の形態４の変形例］
上記実施の形態４では、第１フレーム部材４０ａの底板部４５ａの端部を利用して段部４５３を形成したが、第１フレーム部材４０ａにおいて、導光板支持部４５１が形成されている底板部４５ａの端部を部分的に屈曲させて段部４５３を形成してもよい。また、第２フレーム部材４０ｂにおいて、基板支持部４５２が形成されている底板部４５ｂの端部を部分的に屈曲させて段部４５３を形成してもよい。
【００６８】
［他の実施の形態］
上記実施の形態１〜４では、導光板８０の側端面８０１の側、および導光板８０の側端面８０２の側の双方を光入射部８０ａとしたが、側端面８０１、８０２のうちの一方のみが光入射部８０ａになっている液晶表示装置１００に本発明を適用してもよい。
【００６９】
上記実施の形態では、照明装置８を液晶表示装置１００のバックライト装置として用いたが、各種サイネージのバックライト装置等として用いてもよい。
【００７０】
［電子機器への搭載例］
上述実施形態では、液晶表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した液晶表示装置１００を用いてもよい。
【符号の説明】
【００７１】
８・・照明装置、１０・・液晶パネル、４０・・第１フレーム（フレーム）、４０ａ・・第１フレーム部材（フレーム）、４０ｂ・・第２フレーム部材（フレーム）、４５、４５ａ、４５ｂ・・底板部、８０・・導光板、８０ａ・・光入射部、８０ｂ・・光出射面、８０ｃ・・背面、８８・・光源用基板、８９・・発光素子、８９ａ・・発光面、１００・・液晶表示装置、１００ａ・・画像表示領域、４５１・・導光板支持部、４５２・・基板支持部、４５３・・段部
【図１】
0005909920.tif 000002
【図２】
0005909920.tif 000003
【図３】
0005909920.tif 000004
【図４】
0005909920.tif 000005
【図５】
0005909920.tif 000006
【図６】
0005909920.tif 000007
【図７】
0005909920.tif 000008
【図８】
0005909920.tif 000009